(57)【要約】      （修正有）【課題】何度も脱着することができると共に、皮膚の温度またはマスクと皮膚との間の空間の温度を所定の温度に保つことができ、かつマスクを着用しても、着用者の耳にかけるマスクのひも状部材に、荷重がほとんどかかることがないマスク用保温用具を提供する。【解決手段】マスク用保温用具１は、着用者の鼻の一部から口までを少なくとも覆うマスクに、脱着可能に取り付けられ、マスクを着用した際に、着用者の鼻の一部から口またはマスクと着用者の鼻の一部から口との間の空間を、冷却または加熱するものであって、保温剤が充填された保温部１０ａ、１０ｂと、マスクに接続する接続部２５ａ、２５ｂと、凹部３０とを有し、凹部３０は、マスクを着用した際に、着用者の鼻の上部の少なくとも一部に当接する。【選択図】図２
0003228513.tif 000002
【実用新案登録請求の範囲】
【請求項１】
着用者の鼻の一部から口までを少なくとも覆うマスクに、脱着可能に取り付けられ、
前記マスクを着用した際に、前記着用者の鼻の一部から口または前記マスクと前記着用者の鼻の一部から口との間の空間を、冷却または加熱するマスク用保温用具であって、
保温剤が充填された保温部と、
前記マスクに接続する接続部と、
凹部とを有し、
前記凹部は、前記マスクを着用した際に、前記着用者の鼻の上部の少なくとも一部に当接することを特徴とするマスク用保温用具。
【請求項２】
少なくとも前記マスク側表面の少なくとも一部に、前記マスクからの熱伝達を防止する断熱部が設けられていることを特徴とする請求項１に記載のマスク用保温用具。
【請求項３】
前記保温部は、保温剤が充填された第１の袋状部材を、第２の袋状部材で包んだものであることを特徴とする請求項１または２に記載のマスク用保温用具。
【請求項４】
前記着用者側表面の少なくとも一部に、芳香剤または抗菌剤が含侵または塗布されていることを特徴とする請求項１〜３の何れか１項に記載のマスク用冷却用具。
【請求項５】
前記接続部が、面ファスナーであることを特徴とする請求項１〜４の何れか１項に記載のマスク用保温用具。
【請求項６】
前記接続部が、前記マスクと脱着可能なテープであることを特徴とする請求項１〜４の何れか１項に記載のマスク用保温用具。
【請求項７】
前記マスクは、両端部に、前記着用者の耳に掛止されるひも状部材をそれぞれ有し、
前記接続部は、フック状のフック状部材であり、
前記フック状部材が前記ひも状部材に掛止されることで、前記マスクに接続されることを特徴とする請求項１〜４の何れか１項に記載のマスク用保温用具。
【請求項８】
吸湿性素材で構成された袋状外装部材で覆われていることを特徴とする請求項１〜７の何れか１項に記載のマスク用保温用具。
【考案の詳細な説明】
【技術分野】
【０００１】
本考案は、マスク着用時における、着用者の皮膚の温度またはマスクと皮膚との間の空間の温度を、上昇または低下させるマスク用保温用具に関し、特にマスクに脱着可能なものに関する。
【背景技術】
【０００２】
マスクは、通常インフルエンザが流行する秋から冬に用いられることが多い。しかし、新型コロナウィルスの流行により、気温および湿度が高い夏場でもマスクを使用するヒトが増えてきている。
【０００３】
マスクは、着用（装着）することで、咳やくしゃみをした際に飛沫に含まれるウィルスの飛散を防止したり、他のヒトからウィルスの感染を防止することができる。そこで、ウィルスの飛散や感染を防止するために、マスクを常時着用しておく必要があるが、夏場でのマスクの使用は、熱中症を引き起こす場合があった。
【０００４】
そこで、熱中症を防止するマスクとして、顔と接触する側が吸湿性部材で形成され、両眼部が開口した顔のみを覆うマスクが提案されている（特許文献１参照）。
【０００５】
また、着用者の顔の一部を覆うマスク本体と、水分を含む保水液が含浸された含水体と、を備え、前記マスク本体は、加熱された含水体を収容する収容部を備え、前記含水体は、保水液の含浸量が６ｇ以上３０ｇ以下である、マスクが提案されている（特許文献２参照）。
【先行技術文献】
【特許文献】
【０００６】
【特許文献１】特開２００３−１０２５４４号公報
【特許文献２】特開２０２０−１０５６７８号公報
【考案の概要】
【考案が解決しようとする課題】
【０００７】
しかしながら、特許文献１で開示されているような吸湿性部材で形成されたマスクは、吸湿性部材によって汗を吸収することで、汗による蒸れや、べとつき感を軽減させることはできるが、皮膚の温度またはマスクと皮膚との間の空間の温度を下げて発汗自体を抑えることができないという問題点があった。
【０００８】
一方、上述したような、水分を含む保水液が含浸された含水体を備えたマスクは、水分を含んだフィルターが加熱された状態でマスク本体に収容されるので、温かい蒸気が発生する。その結果、マスクと顔との間が加湿されると共に、口腔に水分が補給されるため、口腔の乾燥を防止するという機能を有するものである。
【０００９】
なお、このマスクの含水体には、切欠きが水平方向の中央部に設けられているが、これは該含水体の折れ曲がりを容易にするためのものであり、後述する本考案の凹部とは全く異なるものである。
【００１０】
本考案は、皮膚の温度またはマスクと皮膚との間の空間の温度を、所定の温度に保つことができ、かつマスクを着用しても、マスクのひも状部材に荷重がほとんどかかることがないマスク用保温用具を提供することを目的とする。
【課題を解決するための手段】
【００１１】
本考案の考案者は、上述した問題点に関して鋭意研究・開発を続けた結果、以下のような画期的なマスク用保温用具を見出した。
【００１２】
上記課題を解決するための本考案の第１の態様は、着用者の鼻の一部から口までを少なくとも覆うマスクに、脱着可能に取り付けられ、マスクを着用した際に、着用者の鼻の一部から口またはマスクと着用者の鼻の一部から口との間の空間を、冷却または加熱するマスク用保温用具であって、保温剤が充填された保温部と、マスクに接続する接続部と、凹部とを有し、凹部は、マスクを着用した際に、着用者の鼻の上部の少なくとも一部に当接することを特徴とするマスク用保温用具にある。
【００１３】
ここで、「脱着可能」とは、取り付けたり、外したりすることを何度も行うことができることを含む概念である。また、本態様における「取り付けられ」とは、直接取り付けられることだけでなく、間接的に取り付けられることを含み、さらに取り付けられていると同様な状態を含む概念である。
【００１４】
かかる第１の態様では、同一マスクや異なるマスクに何度も脱着できると共に、皮膚の温度またはマスクと皮膚との間の空間の温度を、所定の温度に保つことができ、かつマスクを着用しても、着用者の耳にかけるマスクのひも状部材に、荷重がほとんどかかることがないマスク用保温用具を提供することができる。なお、マスク自体の温度も、当然所定の温度に保つことができるのは言うまでもない。
【００１５】
また、本態様のマスク用保温用具は、着用者がマスクを着用した際に、マスクと着用者の鼻および口との間に位置し、かつ着用者の鼻の上部の少なくとも一部に当接するので、マスクと着用者の鼻および口との間に空間が形成されることになる。その結果、マスクを着用した際の息苦しさや、着用者の皮膚に塗られた口紅等の化粧品等がマスクに付着して、着用者の皮膚に塗られた化粧品等が落ちることを防止することができる。
【００１６】
本考案の第２の態様は、少なくともマスク側表面の少なくとも一部に、マスクからの熱伝達を防止する断熱部が設けられていることを特徴とする第１の態様に記載のマスク用保温用具にある。
【００１７】
かかる第２の態様では、マスク側からの熱伝達（熱伝導）を防止することができるので、皮膚の温度またはマスクと皮膚との間の空間の温度を、所定の温度に、より長時間保つことができる。
【００１８】
本考案に係る第３の態様は、保温部は、保温剤が充填された第１の袋状部材を、第２の袋状部材で包んだものであることを特徴とする第１または第２の態様に記載のマスク用保温用具にある。
【００１９】
かかる第３の態様では、第２の袋状部材の中で第１の袋状部材が移動することになるので、第１の袋状部材の移動による刺激が直接皮膚に伝わることがない。加えて、第１の袋状部材と第２の袋状部材との間の空間によって断熱効果が生じるので、皮膚の温度またはマスクと皮膚との間の空間の温度を、所定の温度に、より長時間保つことができる。また、保温剤として冷却剤を用いた場合には、上述した断熱効果により、保温剤表面への結露を防止することができる。
【００２０】
本考案の第４の態様は、着用者側表面の少なくとも一部に、芳香剤または抗菌剤が含侵または塗布されていることを特徴とする第１〜第３の態様の何れか１つに記載のマスク用冷却用具にある。
【００２１】
かかる第４の態様では、マスクを着用した際に、着用者に芳香剤の香りを吸入させることができる。また、マスクを着用した際に、マスク用保温用具の着用者側表面の衛生状態を保つことができる。
【００２２】
本考案の第５の態様は、接続部が、面ファスナーであることを特徴とする第１〜第４の態様の何れか１つに記載のマスク用保温用具にある。
【００２３】
かかる第５の態様では、マスクとの脱着が容易なマスク用保温用具を提供することができる。
【００２４】
本考案の第６の態様は、接続部が、マスクと脱着可能なテープであることを特徴とする第１〜第４の態様の何れか１つに記載のマスク用保温用具にある。
【００２５】
かかる第６の態様では、マスクとの脱着が容易なマスク用保温用具を提供することができる。
【００２６】
本考案の第７の態様は、マスクは、両端部に、着用者の耳に掛止されるひも状部材をそれぞれ有し、接続部は、フック状のフック状部材であり、フック状部材がひも状部材に掛止されることで、マスクに接続されることを特徴とする第１〜第４の態様の何れか１つに記載のマスク用保温用具にある。
【００２７】
かかる第７の態様では、マスクとの脱着が容易なマスク用保温用具を提供することができる。
【００２８】
本考案の第８の態様は、吸湿性素材でおおわれていることを特徴とする第１〜第７の態様の何れか１つに記載のマスク用保温用具にある。
【００２９】
かかる第８の態様では、保温剤の温度が外気よりも低い場合には、保温剤の周囲に生じる結露の発生を防止すると共に、結露がマスク用保温用具の着用者側表面に滲み出て、着用感を悪化させることを防止することができる。その結果、保温剤の温度が外気よりも低い場合におけるマスク用保温用具の付け心地を向上させることができる。
【図面の簡単な説明】
【００３０】
【図１】図１は実施形態１に係るマスク用保温用具をマスクに取り付けた状態を示す概略図である。
【図２】図２は実施形態１に係るマスク用保温用具の概略図である。
【図３】図３は実施形態２に係るマスク用保温用具をマスクに取り付けた状態を示す概略図である。
【図４】図４は実施形態３に係るマスク用保温用具の概略図である。
【考案を実施するための形態】
【００３１】
以下に添付図面を参照して、本考案に係るマスク用保温用具の実施形態を説明する。なお、本考案は、以下の実施形態に限定されるものではない。
（実施形態１）
【００３２】
図１は本実施形態に係るマスク用保温用具１をマスクに取り付けた状態を示す概略図であり、図２は本実施形態に係るマスク用保温用具１の概略図である。図１に示すように、マスク用保温用具１は、扁平な形状からなり、マスク本体１００の着用者側の表面の上方部に取り付けられる（固定される）ものである。そして、マスク用保温用具１は、図２に示すように、略楕円状の２つの保温部１０ａ、１０ｂが、中央部上方に位置する橋梁部１０ｃを介して接続されるように構成されている。なお、マスク本体１００の両側端部には、着用者の耳に係止めされるひも状部材１１０がそれぞれ取り付けられており、マスク用保温用具１が取り付けられたマスク本体１００を着用者の顔に固定することができるようになっている。
【００３３】
左側に配置される保温部１０ａの左側上方部には、左側上方に延出する取付部２０ａが設けられている。一方、右側に配置される保温部１０ｂの右側上方部には、右側上方に延出する取付部２０ｂが設けられている。
【００３４】
取付部２０ａの保温部１０ａとは反対側の端部（先端部）２５ａおよび取付部２０ｂの保温部１０ｂとは反対側の端部（先端部）２５ｂのマスク本体１００側の表面には、面ファスナーがそれぞれ設けられている。そして、これらの面ファスナーとマスク本体１００の表面とが掛止することによって、マスク用保温用具１はマスクに脱着自在に取り付けることができる。本実施形態では、これらの面ファスナーが接続部となる。
【００３５】
橋梁部１０ｃの下側には、図２に示すように、保温部１０ａと保温部１０ｂによって形成された逆Ｖ字状の凹部３０が形成されている。凹部３０は、マスク用保温用具１が取り付けられたマスク本体１００を着用した際に、着用者の鼻の上部に当接して、マスク用保温用具１の荷重が着用者の鼻にかかるようになっている。その結果、マスク用保温用具１をマスクに取り付けても、ひも状部材１１０にマスク用保温用具１の荷重がほとんどかかることがない。したがって、マスク用保温用具１の荷重の追加による、ひも状部材１１０による着用者の耳への締め付けがほとんどない。したがって、マスク用保温用具１をマスク本体１００に取り付けても、ひも状部材１１０による着用者の痛みがほとんど生じないようになっている。
【００３６】
保温部１０ａ、１０ｂおよび橋梁部１０ｃは、袋状になっており、内部に保温剤を充填することができる。保温部１０ａ、１０ｂおよび橋梁部１０ｃは、内部に保温剤を充填することができるものであれば、その形状および材質は特に限定されない。なお、保温部１０ａ、１０ｂおよび橋梁部１０ｃに充填される保温剤は、これらの内部に完全充填されていた方が、保温効果が大きくなるので好ましいが、完全に充填されていなくてもよいのは言うまでもない。
【００３７】
保温部１０ａ、１０ｂおよび橋梁部１０ｃとしては、例えば厚さ０．１ｍｍ〜０．５ｍｍのポリ塩化ビニル（ＰＶＣ）製の袋状部材が挙げられるが、厚さが０．２ｍｍ〜０．４ｍｍのポリ塩化ビニル（ＰＶＣ）製の袋状部材であれば、マスクの形状変化に追従できる柔軟性と十分な耐久性を有するので好ましい。本実施形態では、ポリ塩化ビニル製の３つの袋状部材を熱融解させて結合し、保温部１０ａ、１０ｂおよび橋梁部１０ｃを形成している。なお、少なくとも着用者側表面の材質としてポリ塩化ビニルを用いると、着用した際に、皮膚への刺激を和らげることができる。
【００３８】
なお、保温部１０ａ、１０ｂおよび橋梁部１０ｃの内部に充填される保温剤は特に限定されない。皮膚の温度またはマスクと皮膚との間の空間の温度を下げたい場合には、保温剤として皮膚よりも低い温度を保つことができるもの（保冷剤）を用いる。一方、皮膚の温度またはマスクと皮膚との間の空間の温度を上げたい場合には、保温剤として皮膚よりも高い温度を保つことができるものを用いる。保温剤としては、蓄熱性能が高いものが好ましい。
【００３９】
取付部２０ａ、２０ｂは、端部２５ａ、２５ｂのそれぞれに面ファスナーを取り付けることができれば、その形状や材質は特に限定されない。本実施形態では、ポリ塩化ビニルを用いて、保温部１０ａ、１０ｂと一体的に形成されている。なお、面ファスナーは、マスク本体１００と掛止することができるものであれば特に限定されず、市販のものを用いることができる。
【００４０】
本実施形態では、マスクは、マスク本体１００と、その水平方向両端に取り付けられた、２つのひも状部材１１０とで構成されているが、マスクはこれに限定されないのは言うまでもない。
【００４１】
マスク本体１００は、面ファスナーと掛止することができるものであれば、その形状および材質は特に限定されない。また、ひも状部材１１０も特に限定されない。マスクとしては、例えば、マスク本体１００が不織布や布で形成されたもの等が挙げられる。
【００４２】
次に、マスク本体１００へのマスク用保温用具１の脱着方法について説明する。上述したように、マスク用保温用具１は、着用者がマスクを着用した際に、凹部３０が着用者の鼻の上部に当接するようなマスクの位置に取り付ける必要がある。本実施形態では、マスク本体１００の中央の上部に橋梁部１０ｃが位置するように、取付部２０ａ、２０ｂの面ファスナーとマスク本体１００とを掛止めることで、マスク用保温用具１をマスク本体１００に取り付けることができる。
【００４３】
一方、取付部２０ａ、２０ｂの面ファスナーとマスク本体１００との掛止を取り外すことで、マスク用保温用具１をマスク本体１００から取り外すことができる。
【００４４】
すなわち、マスク用保温用具１は、同一マスクや異なるマスクに何度も脱着させることができるものである。そして、何度も冷却したり、加熱したりして利用できる保温剤を保温部１０ａ、１０ｂおよび橋梁部１０ｃに充填している場合には、そのまま冷蔵（冷凍）して冷やしたり、加熱して温めて何度も使用することができるので、マスク用保温用具１は、環境にやさしく、経済的なものである。
【００４５】
マスク用保温用具１をこのように構成することによって、皮膚の温度またはマスク本体１００と皮膚との間の空間の温度を所定の温度に保つことができる。具体的には、夏場であれば、皮膚の温度またはマスク本体１００と皮膚との間の空間の温度を、外気温よりも低く保つことができる。一方、冬場であれば、皮膚の温度またはマスク本体１００と皮膚との間の空間の温度を、外気温よりも高く保つことができる。
【００４６】
また、マスク用保温用具１をこのように構成することによって、マスク用保温用具１が取り付けられたマスク本体１００を着用した際に、凹部３０が着用者の鼻の上部に当接して、マスク用保温用具１の荷重が着用者の鼻にかかることになる。すなわち、マスク用保温用具１が取り付けられたマスクを着用しても、ひも状部材１１０にマスク用保温用具１の荷重がほとんどかかることがない。その結果、マスク用保温用具１の荷重の追加による、ひも状部材１１０による着用者の耳への締め付けがほとんどない。したがって、マスク用保温用具１をマスク本体１００に取り付けても、ひも状部材１１０による着用者の痛みがほとんど生じない。
【００４７】
さらに、マスク用保温用具１は、着用者がマスクを着用した際に、マスク本体１００と着用者との間に位置し、かつ着用者の鼻の上部の少なくとも一部に当接するので、マスク本体１００と着用者の鼻および口との間に空間を形成することになる。その結果、マスクを着用した際の息苦しさや、着用者の皮膚に塗られた口紅等の化粧品がマスク本体１００に付着して、着用者の化粧が落ちることを防止することができる。
（実施形態２）
【００４８】
実施形態１では、面ファスナーを用いて、マスク用保温用具をマスク本体に取り付けるようにしたが、本考案はこれに限定されない。
【００４９】
例えば、図３に示すように、取付部２０ａ、２０ｂの先端部に、フック状に形成されたフック状部材２５Ａ、２５Ｂをそれぞれ設けてもよい。このフック状部材２５Ａ、２５Ｂを各ひも状部材１１０に係止することで、マスク用保温用具１Ａをマスク本体１００に取り付けることができる。本実施形態では、フック状部材２５Ａ、２５Ｂが接続部となる。
【００５０】
なお、フック状部材２５Ａ、２５Ｂは、各ひも状部材１１０に取り付ける（係止する）ことができるのであれば、その形状は特に限定されない。また、マスク用保温用具１Ａを吊り下げることができる強度を有するものであれば、フック状部材２５Ａ、２５Ｂの材質も特に限定されない。
【００５１】
このようにマスク用保温用具１Ａを構成しても、実施形態１に係るマスク用保温用具と同様の効果が得られる。フック状部材２５Ａ、２５Ｂとしては、例えば、プラスチック製のフック等が挙げられる。
（実施形態３）
【００５２】
さらに、例えば、図４に示すように、保温部１０ａ、１０ｂのマスク本体側表面に、マスク本体１００と脱着可能な円状のテープ２５ａ’、２５ｂ’をそれぞれ設けてもよい。このテープ２５ａ’、２５ｂ’をマスク本体１００と接着させることで、マスク用保温用具１Ｂをマスク本体１００に取り付けることができる。本実施形態では、このテープ２５ａ’、２５Ｂ’が接続部となる。
【００５３】
なお、テープ２５ａ’、２５Ｂ’は、マスク用保温用具１Ｂをマスク本体１００に取り付けることができるものであれば、形状や材質は特に限定されない。テープ２５ａ’、２５Ｂ’としては、例えば、市販の両面テープ等が挙げられる。
【００５４】
このようにマスク用保温用具１Ｂを構成しても、実施形態１に係るマスク用保温用具と同様の効果が得られる。
（実施形態４）
【００５５】
実施形態１および２では、各保温部のマスク本体側表面上に何も設けなかったが、保温部のマスク本体側表面の少なくとも一部に、マスク本体１００側からの熱伝達（熱伝導）を防止する断熱部を設けてもよい。断熱部を設けることにより、マスク本体１００側からの熱伝達を防止することができるので、皮膚の温度またはマスクと皮膚との間の空間の温度を、所定の温度に、より長時間保つことができる。
【００５６】
なお、断熱部の形状は特に限定されないが、シート状のものが好ましく、各保温部のマスク本体側表面をすべて覆うようなシート状のものがより好ましい。各保温部のマスク本体側表面の全てを断熱部で覆うことにより、皮膚の温度またはマスクと皮膚との間の空間の温度を、所定の温度に、さらに長時間保つことができる。なお、断熱部の構成や材質は特に限定されないが、高い断熱性を有するものが好ましいのは言うまでもない。
（実施形態５）
【００５７】
上述した実施形態では、各保温部の構成は、内部に保温剤を充填することができるものであれば特に限定されなかったが、保温剤が充填された第１の袋状部材を、第２の袋状部材で包んだもので構成してもよい。すなわち、各保温部が、２つの袋状部材で保温剤を２重に包み込むように構成してもよい。
【００５８】
このように構成することによって、第２の袋状部材の中で第１の袋状部材が移動することになるので、第１の袋状部材の移動による刺激が直接皮膚に伝わることがない。その結果、第２の袋状部材を設けなかった場合と比較して、皮膚への刺激を和らげることができる。
【００５９】
加えて、第１の袋状部材と第２の袋状部材との間の空間によって断熱効果が生じるので、皮膚の温度またはマスク本体と皮膚との間の空間の温度を、所定の温度に、より長時間保つことができる。また、保温剤として冷却剤を用いた場合には、上述した断熱効果により、保温剤表面への結露を防止することができる。
【００６０】
第１の袋状部材の形状は、保温剤を充填できるものであれば特に限定されない。また、第２の袋状部材の形状も、第１の袋状部材を内部に入れることができるものであれば特に限定されない。第１の袋状部材および第２の袋状部材の材質は特に限定されないが、ポリ塩化ビニルが好ましい。ポリ塩化ビニルを用いることにより、皮膚への刺激を、より和らげることができる。
（実施形態６）
【００６１】
上述した実施形態では、マスク用保温用具表面に何の処理もしなかったが、着用者側表面の少なくとも一部に、芳香剤または抗菌剤を含侵または塗布させてもよい。
【００６２】
マスク用保温用具の着用者側表面の少なくとも一部に芳香剤を含侵または塗布することによって、マスクを着用した際に、着用者に芳香剤の香りを吸入させることができる。なお、これに用いられる芳香剤は特に限定されず、例えば市販の芳香剤を用いることができる。
【００６３】
また、マスク用保温用具の着用者側表面の少なくとも一部に抗菌剤を含侵または塗布することによって、マスク用保温用具の着用者側表面の衛生状態を衛生的に保つことができる。なお、これに用いられる抗菌剤は特に限定されず、例えば市販の抗菌剤を用いることができる。
【００６４】
ここで、上述した芳香剤および抗菌剤の含侵方法および塗布方法は、マスク用保温用具表面の材質および表面状態に応じて、一般的な既存の方法を用いることができる。
（実施形態７）
【００６５】
上述した実施形態では、マスクにマスク用保温用具を直接取り付けるようにしたが、本発明はこれに限定されない。
【００６６】
例えば、実施形態１のマスクのように、マスク用保温用具の左右の端部にひも状部材を取り付け、凹部が着用者の鼻の上部に当接するように、そのひも状部材を着用者の耳に係止める。次に、そのマスク用保温用具を覆うように、マスクを取り付けると、マスク用保温用具がマスクに取り付けられたと同様の状態になる。なお、この場合には、マスク用保温用具に取り付けられたひも状部材が接続部になる。このようにマスク用保温用具を構成しても、上述した実施形態と同様の効果が得られる。
（他の実施形態）
【００６７】
実施形態１および２では、取付部の保温部とは反対側の端部（先端部）に、接続部（面ファスナーまたはフック状部材）を設けて、マスク本体に対するマスク用保温用具の取り付け強度（ズレ防止性等）を高くしたが、接続部の位置はこれに限定されない。
【００６８】
また、上述した実施形態では、凹部の形状は逆Ｖ字型となっていたが、マスク用保温用具が取り付けられたマスクを着用した際に、着用者の鼻の上部に接して、マスク用保温用具１の荷重が着用者の鼻にかかるようになっていれば、その形状は特に限定されない。凹部の形状としては、例えばコ字状、八文字状や山形の形状等であってもよい。このような形状であっても、上述した実施形態と同様の効果が得られる。
【００６９】
さらに、上述した実施形態では、橋梁部内にも保冷剤を充填したが、本発明はこれに限定されない。保冷剤を充填しない橋梁部であっても、保温機能は多少低下するかもしれないが、上述した実施形態と同様の効果が得られる。
【００７０】
また、マスク用保温用具は、綿や麻等の吸湿性を有する素材（吸湿性素材）で構成された袋状外装部材で覆われていてもよい。マスク用保温用具が袋状外装部材で覆われることによって、保温剤の温度が外気よりも低い場合には、保温剤の周囲に生じる結露の発生を防止すると共に、結露がマスク用保温用具の着用者側表面に滲み出て、マスクまたはマスク用保温用具の着用感を悪化させることを防止することができる。その結果、保温剤の温度が外気よりも低い場合におけるマスクまたはマスク用保温用具の付け心地を向上させることができる。
【符号の説明】
【００７１】
１、１Ａ、１Ｂ    マスク用保温用具
１０ａ、１０ｂ    保温部
１０ｃ    橋梁部
２０ａ、２０ｂ    取付部
２５ａ、２５ｂ    先端部
２５Ａ、２５Ｂ    フック状部材
２５ａ’、２５ｂ’    テープ
３０    凹部
１００    マスク本体
１１０    ひも状部材
【図１】
0003228513.tif 000003
【図２】
0003228513.tif 000004
【図３】
0003228513.tif 000005
【図４】
0003228513.tif 000006